(57)【要約】      （修正有）【課題】ヘッド部外面の中心部近傍に当接している肌へ集中的に超音波振動エネルギーを与えるのでなく、該ヘッド部外面のより広い範囲に当接している肌に対しても、ほぼ等しい超音波振動エネルギーを与えることが出来る美容用超音波プローブを提供する。【解決手段】ヘッド部１外面２を、外縁が円になっている凹状の球面にし（すなわち肌に当接する面が凹んでいる状態にし）、他方、ヘッド部１内面３には、盤状の超音波振動子４を、該超音波振動子の中心における垂線が上記球面の中心を通るように、貼付けた構成とした。【選択図】図１
0003192136.tif 000002
【実用新案登録請求の範囲】
【請求項１】
ヘッド部外面を、外縁が円になっている凹状の球面にし、
ヘッド部内面に、超音波振動子を貼付けた構成としたことを特徴とする美容用超音波プローブ。
【請求項２】
ヘッド部外面を、外縁が円になっている凹状の球面にし、
ヘット部内面を、上記の球面の中心と上記円の中心を通る直線に直交する平面にし、
上記ヘッド部内面には、円盤状の超音波振動子をその中心が上記直線上の点となるように貼付けたことを特徴とする美容用超音波プローブ。
【請求項３】
ヘッド部外面を外縁が円になっている凹状の球面にし、
ヘット部内面には、上記の球面の中心と上記円の中心を通る直線にその中心で直交し上記円よりも半径が小さい第２の円の円周をＮ（ここでＮは２より大きい整数）等分するＮ個の点の位置に、その中心における垂線が上記球面の中心を通る貼付用円形平面が形成されており、
上記ヘッド部内面のＮ個の貼付用円形平面には、それぞれ、円盤状の超音波振動子がその中心を上記垂線が通るように貼付けられている構成にしたことを特徴とする美容用超音波プローブ。
【考案の詳細な説明】
【技術分野】
【０００１】
本考案は、超音波振動子から付与される超音波振動を、顔や身体の肌に伝達して、超音波による肌への美容効果を得る美容用超音波プローブに係り、特に、肌に当接する該美容用超音波プローブの先端部即ちヘット部の外面形状に関する。
【背景技術】
【０００２】
従来、有頂筒状のプローブヘット部と、該プローブヘット部を支持する握持本体を有して、該プローブヘット部の外面が肌に当接し、該プローブヘット部の内面（上記外面に対向している）側に貼りつけた超音波振動子により該プローブヘット部を超音波振動させるようにした美容用超音波プローブが知られている（特許文献１）。
【先行技術文献】
【特許文献】
【０００３】
【特許文献１】特開２００６−１８１２９２号公報
【考案の概要】
【考案が解決しようとする課題】
【０００４】
上記のような従来の美容用超音波プローブでは、一般にプローブヘット部の外面を円形とし、これに対向する内面側の超音波振動子は円盤状とし、該外面及び超音波振動子はいずれも中心点で中心軸に直交するように構成されている。このため、外面即ち肌に接触する面における超音波振動は中心部ほど振幅が大きく、外延に向かって振幅が小さくなる振動モードになる。これを反映して、該外面を肌に当接すると、美容効果に寄与する振動エネルギーが該中心部の近傍に当接している狭い範囲の肌に集中的に与えられる傾向があった。そして、この狭い範囲を拡げようとして、超音波振動子への供給パワーを上げても、該範囲拡大にはそれほど寄与せず、上記中心部近傍の振動エネルギーがレベルアップするだけであり、そして結果的には、上記狭い範囲の肌が、耐えられないほどに熱くなるだけであった。
【０００５】
本願考案は、上記のような事情に鑑みてなされたものであり、ヘット部外面の中心部近傍に当接している肌へ集中的に振動エネルギーを与えるのでなく、該ヘッド部上面のより広い範囲に当接している肌へも十分に振動エネルギーを与えることが出来る美容用超音波プローブの提供を目的している。
【課題を解決するための手段】
【０００６】
請求項１の考案では、美容用超音波プローブを以下のように構成した。すなわち、ヘッド部外面を、外縁が円になっている凹状の球面にし、ヘッド部内面に、超音波振動子を貼付けた構成とした。
【０００７】
請求項２の考案では、美容用超音波プローブを以下のように構成した。すなわち、ヘッド部外面を、外縁が円になっている凹状の球面にし、ヘッド部内面を、上記の球面の中心と上記円の中心を通る直線に直交する平面にし、上記ヘッド部内面には、円盤状の超音波振動子をその中心が上記直線上の点となるように貼付けた構成とした。
【０００８】
請求項３の考案では、美容用超音波プローブを以下のように構成した。即ち、ヘッド部外面を外縁が円になっている凹状の球面にし、ヘット部内面には、上記の球面の中心と上記円の中心を通る直線にその中心で直交し上記円よりも半径が小さい第２の円の円周をＮ（ここでＮは２より大きい整数）等分するＮ個の点の位置に、その中心における垂線が上記球面の中心を通る貼付用円形平面が形成されており、上記ヘッド部内面のＮ個の貼付用円形平面には、それぞれ、円盤状の超音波振動子がその中心を上記垂線が通るように貼付けられている構成にした。
【考案の効果】
【０００９】
以上詳述したように、本願考案による美容用超音波プローブによると、ヘッド部外面を凹状の球面にしているので該外面を所謂ゲル等を介して肌に当接した場合、該外面の中心部近傍では他の部分に比較して肌との間の隙間が僅かながら大きいので、この中心部近傍の肌だけに超音波振動エネルギーが集中的に与えられる事にはならず、比較的広い範囲の肌に均一な超音波振動エネルギーが与えられる。
請求項２の考案による美容用超音波プローブでは、更に特有の効果として、極めて簡単な構成で上記効果を達成できるという点をあげることができる。
請求項３の考案による美容用超音波プローブでは、更に特有の効果として、ヘッド外面を比較的広く出来ると共に超音波振動エネルギーの高放出点を該外面の複数の箇所に分散配置でき、結果的に当接する肌の広い範囲に比較的均一な超音波振動エネルギーを与えることができる。
【図面の簡単な説明】
【００１０】
【図１】本願考案の第１の実施の形態に係る美容用超音波プローブのヘッド部の構成を説明するための図である。
【図２】本願考案の第２の実施の形態に係る美容用超音波プローブの外観を示す図である。
【図３】図２に外観を示す美容用超音波プローブにおけるヘット部の構成を示す図である。
【考案を実施するための形態】
【００１１】
以下、図面に基づいて本考案を実施するための形態を説明する。図１は、第１の実施の形態に係る美容用超音波プローブにおけるヘット部（略、有頂筒形状になっている）をその軸と任意の直径により規定される一つの平面に沿って切断したときの断面図である。即ちヘット部１の外面２を、外縁が円になっている凹状の球面にし、ヘット部内面３を、上記の球面の中心と上記円の中心を通る直線に直交する平面にし、このヘッド部内面３には、円盤状の超音波振動子４をその中心が上記直線上の点となるように貼付けた構成としている。このような構成は、従来のヘット部の外面を凹状の球面にしただけであるので、極めて簡単に形成できる。
【００１２】
図２は、第２の実施の形態に係る美容用超音波プローブの外観を示すもので、
超音波出力を送出する本体装置に接続するコードの図示は省略している。この図の下方は外面２が凹状の球面になっているヘット部１を収めているヘット部ケース６となっており、その上部には握持部５が形成されている。
図３は、図２に示すＡ−Ａ線に沿った断面図であり、内部機構を省略し、ヘッド部１と超音波振動子４との配設関係を示している。即ちヘッド部外面２を外縁が円になっている凹状の球面にし、ヘット部内面３には、上記の球面の中心と上記円の中心を通る直線にその中心で直交し上記円よりも半径が小さい第２の円の円周を４等分する４個の点の位置に、その中心における垂線が上記球面の中心を通る貼付用円形平面３０が形成されており、上記ヘッド部内面の４個の貼付用円形平面３０には、それぞれ、円盤状の超音波振動子４がその中心を上記垂線が通るように貼付けられている構成になっている。ヘッド外面２を比較的広く出来ると共に超音波振動エネルギーの高放出点が該外面２の４箇所にでき、この４箇所からの超音波振動エネルギーが加算され、結果的に当接する肌の広い範囲で比較的均一な超音波振動エネルギーを与えることができる。
【００１３】
なお、本願考案の範囲は、上記実施の形態に限定されず、種々変形応用が可能である。
【産業上の利用可能性】
【００１４】
本考案は、美容用超音波プローブの製造に係る産業において利用される可能性が大である。
【符号の説明】
【００１５】
１  ヘット部
２  外面
３  内面
３０  貼付用円形平面
４  超音波振動子
【図１】
0003192136.tif 000003
【図２】
0003192136.tif 000004
【図３】
0003192136.tif 000005